(57)【要約】【課題】テレビやオーディオの音を含むユーザー周囲に騒音あっても、空気調和機からの音声応答を判別可能とする。【解決手段】室内ユニットで赤外線制御信号に対応した音声応答機能を有した空気調和機において、赤外線受信部からなる赤外線制御信号入力手段１と、マイクからなる音声信号入力手段２と、前記赤外線制御信号入力手段と前記音声信号入力手段の信号により空気調和機の音声応答信号と音量レベルを作成する音声応答信号レベル判断手段３と、増幅器とスピーカからなる音声応答出力手段４を備え、前記音声信号入力手段２の信号レベルに応じた音量で音声応答するとしたものである。【選択図】図１
2008122044.tif 000002
【特許請求の範囲】
【請求項１】
室内ユニットで赤外線制御信号に対応した音声応答機能を有した空気調和機において、赤外線受信部からなる赤外線制御信号入力手段と、マイクからなる音声信号入力手段と、前記赤外線制御信号入力手段と前記音声信号入力手段の信号により空気調和機の音声応答信号と音量レベルを作成する音声応答信号レベル判断手段と、増幅器とスピーカからなる音声応答出力手段を備え、前記音声信号入力手段の信号レベルに応じた音量で音声応答することを特徴とする空気調和機の制御装置。
【請求項２】
入力される音声信号レベルに応じて、少なくとも２段階の音量で音声応答を行う請求項１に記載の空気調和機の制御装置。
【請求項３】
入力される音声信号レベルに応じた補正音量を選択可能とした請求項１に記載の空気調和機の制御装置。
【請求項４】
音声信号入力手段のマイクを音声出力手段のスピーカと共用とした請求項１から請求項３に記載の空気調和機の制御装置。
【発明の詳細な説明】
【技術分野】
【０００１】
本発明は、赤外線ワイヤレスリモコンを具備し、室内ユニットで赤外線制御信号に対応した音声応答機能を有した空気調和機の制御装置に関するものである。
【背景技術】
【０００２】
従来、この種の空気調和機では、赤外線信号を用いてワイヤレスリモコンのスイッチ操作を空気調和機の室内ユニットに制御信号として送信するが、室内ユニット側では制御信号の受信確認音をブザーを用いて発生させている。また、ユーザーの利便性・操作に対する識別性の向上の為にスピーカーを用いて音声応答する空気調和機が実現されており、スピーカーを具備した空気調和機の室内ユニットと、赤外線を用いたワイヤレスリモコンから構成されている（例えば、特許文献１参照）。
【特許文献１】特開２００１−１２８２６４号公報
【発明の開示】
【発明が解決しようとする課題】
【０００３】
しかしながら、前記従来の構成では、ユーザーがワイヤレスリモコンを操作する事により、空気調和機の室内ユニットのスピーカーから音声による応答が行われるが、テレビやオーディオの音を含むユーザー周囲の騒音により、空気調和機の音声応答が聞こえにくいという課題を有していた。
【０００４】
本発明は、前記従来の課題を解決するもので、周囲の騒音の影響を最小限に抑えてユーザーの操作に対する識別性を向上させた空気調和機の制御装置を提供することを目的とする。
【課題を解決するための手段】
【０００５】
前記従来の課題を解決するために、本発明の空気調和機の制御装置は、赤外線受信部からなる赤外線制御信号入力手段と、マイクからなる音声信号入力手段と、前記赤外線制御信号入力手段と前記音声信号入力手段の信号により空気調和機の音声応答信号と音量レベルを作成する音声応答信号レベル判断手段と、増幅器とスピーカからなる音声応答出力手段を備え、前記音声信号入力手段の信号レベルに応じた音量で音声応答するようにしたものである。
【０００６】
これによって、空気調和機のワイヤレスリモコンを操作すると周囲の騒音レベルに応じて音声応答の音量を変更することで室内ユニットからの音声応答が容易に聞こえることになり、ユーザーの操作に対する識別性を向上させた空気調和機が実現できる。
【発明の効果】
【０００７】
本発明の空気調和機の制御装置は、ユーザー周囲の騒音レベルが高い時には音声応答の音量レベルを高めることによりユーザーによる音声応答の誤認識を防止でき、安価で操作性に対する識別性に富む空気調和機を実現することができる。
【発明を実施するための最良の形態】
【０００８】
第1の発明は、赤外線受信部からなる赤外線制御信号入力手段と、マイクからなる音声信号入力手段と、前記赤外線制御信号入力手段と前記音声信号入力手段の信号により空気調和機の音声応答信号と音量レベルを作成する音声応答信号レベル判断手段と、増幅器とスピーカからなる音声応答出力手段を備え、前記音声信号入力手段の信号レベルに応じた音量で音声応答することにより、室内ユニットからの音声応答が容易に聞こえることにな
り、安価で操作性に対する識別性に富む空気調和機を実現することができる。
【０００９】
第２の発明は、入力される音声信号レベルに応じて、少なくとも２段階の音量で音声応答を行うことにより、簡易な回路構成となり安価に作成することができる。
【００１０】
第３の発明は、入力される音声信号レベルに応じた補正音量を選択可能とすることにより、ユーザーに応じて音声応答の音量を最適にできる。
【００１１】
第４の発明は、音声信号入力手段のマイクを音声出力手段のスピーカと共用することにより、部品点数を低減でき安価な空気調和機の室内ユニットとすることができる。
【００１２】
以下、本発明の実施の形態について、図面を参照しながら説明する。なお、この実施の形態によって本発明が限定されるものではない。
【００１３】
（実施の形態１）
図１は、本発明の第１から４の実施の形態における制御装置のブロック構成、図５は、本発明の空気調和機の室内ユニットとリモコンの概念図を示すものである。
【００１４】
図１において、赤外線受信部２１からなる赤外線制御信号入力手段１と、マイク２２からなる音声信号入力手段２と、前記赤外線制御信号入力手段１と前記音声信号入力手段２の信号により空気調和機の音声応答信号と音量レベルを作成する音声応答信号レベル判断手段３と、増幅器とスピーカ２３からなる音声応答出力手段４で空気調和機の制御装置を構成している。
【００１５】
図２は、本発明の第１の実施の形態における動作を示すフローチャートである。上記のように構成された空気調和機の制御装置について、図２を用いて以下にその動作、作用を説明する。
【００１６】
まず、処理がスタートすると、ステップＲ１で赤外線制御信号の有無を判断して、赤外線制御信号がないと判断すると終了に進みその他の処理を行う。赤外線制御信号があると判断すると、ステップＲ２に進む。ステップＲ２において赤外線制御信号により音声応答が発生するかを判断して、音声応答要求が無いと判断すると終了に進みその他の処理を行う。音声応答更要求があると判断するとステップＲ３に進み、ステップ３において音声応答信号データを作成する。
【００１７】
ステップＲ４において室内ユニット内蔵マイクで騒音レベルを検出してステップＲ５に進む。ステップＲ５において周囲の騒音レベルに所定の音量レベル加算して音声応答信号の音量レベルを設定することで音声応答出力信号を作成してステップＲ６に進む。ステップＲ６においてステップＲ５で作成された音声応答出力信号を出力して終了に進み、その他の処理を行う。図示は省略しているが、その他の処理を実行後スタートに戻り処理を繰り返す。
【００１８】
以上のように、本実施の形態においては空気調和機の室内ユニット周囲の騒音レベルが高い時には音声応答の音量を上げることにより、ユーザーによる音声応答の誤認識を防止でき、安価で操作に対する認識性に富む空気調和機を実現することができる。
【００１９】
（実施の形態２）
図３は、本発明の第２の実施の形態における動作を示すフローチャートである。
【００２０】
図３において第１の実施例と同じ処理については同一ステップ番号を付与することとし
て説明を割愛する。ステップＲ７においてステップＲ４で検出した周囲の騒音レベルと所定の音量レベルとの比較を行い、周囲の騒音レベルが所定の音量レベル以上の場合ステップＲ１０に進む。所定の音量レベル未満の場合ステップＲ８に進み、ステップＲ８において音声応答の音量レベルを低レベルに設定する。
【００２１】
ステップＲ９においてステップＲ８で作成された音声応答出力信号を出力して終了に進み、その他の処理を行う。ステップＲ１０において音声応答の音量レベルを高レベルに設定する。ステップＲ１１においてステップＲ１０で作成された音声応答出力信号を出力して終了に進み、その他の処理を行う。
【００２２】
この実施形態によれば、入力される音声信号レベルに応じて、少なくとも２段階の音量で音声応答を行うことにより、簡易な回路構成となり安価に製品をユーザーに供給することができる。
【００２３】
（実施の形態３）
図４は、本発明の第３の実施の形態における動作を示すフローチャートである。図４において第１の実施例と同じ処理については同一ステップ番号を付与することとして説明を割愛する。
【００２４】
ステップＲ１２においてユーザーが事前に設定した音量設定レベルを判定しレベル１以外の場合ステップＲ１５に進み、レベル１の場合ステップＲ１３に進む。ステップＲ１３において周囲の騒音レベルに所定の音量レベル１を加算して音声応答信号の音量レベルを設定することで音声応答出力信号を作成してステップＲ１４に進む。ステップＲ１４においてステップＲ１３で作成された音声応答出力信号を出力して終了に進み、その他の処理を行う。
【００２５】
ステップＲ１５において周囲の騒音レベルに所定の音量レベル２を加算して音声応答信号の音量レベルを設定することで音声応答出力信号を作成してステップＲ１６に進む。ステップＲ１６においてステップＲ１５で作成された音声応答出力信号を出力して終了に進み、その他の処理を行う。
【００２６】
この実施形態によれば、入力される音声信号レベルに応じた補正音量を選択可能とすることにより、ユーザーに応じて音声応答の音量を最適にできるため、ユーザーの認識性を向上することができる。
【００２７】
（実施の形態４）
音声応答出力用のスピーカおよび回路を用いて周囲の騒音を検出するマイクおよび回路と切替えて音声信号を入力する。
【００２８】
この実施形態によれば、部品点数および部品実装スペースを削減でき安価な空気調和機の室内ユニットをユーザーに供給することができる。
【産業上の利用可能性】
【００２９】
以上のように、本発明にかかる空気調和機の制御装置は、室内ユニット周囲の騒音レベルが高い時には音声応答の音量を上げることにより、ユーザーによる音声応答の誤認識を防止でき、安価で操作に対する認識性に富む空気調和機を実現することができる。
【図面の簡単な説明】
【００３０】
【図１】本発明の実施の形態１における制御装置のブロック図
【図２】本発明の実施の形態１における動作を示すフローチャート
【図３】本発明の実施の形態２における動作を示すフローチャート
【図４】本発明の実施の形態３における動作を示すフローチャート
【図５】本発明の空気調和機の室内ユニットとリモコンの概念図
【符号の説明】
【００３１】
１  赤外線制御信号入力手段
２  音声信号入力手段
３  音声応答信号レベル判断手段
４  音声信号出力手段
１０  ワイヤレスリモコン
２０  空気調和機の室内ユニット
２１  赤外線信号受信部
２２  マイク
２３  スピーカ
【図１】
2008122044.tif 000003
【図２】
2008122044.tif 000004
【図３】
2008122044.tif 000005
【図４】
2008122044.tif 000006
【図５】
2008122044.tif 000007